(57)【特許請求の範囲】
【請求項１】
ベースステーションと通信下にある複数の移動ステーションを各々含む複数のセル領域を備え、かつ各々特定のセル領域のベースステーションと通信下にある複数の相互接続移動スイッチングセンタを備え、各移動スイッチングセンタが、前記の特定のセル領域においてサービスを受けつつある各移動ステーションに対するネットワーク識別データを維持するセルラーシステムにおいて、移動ステーションの位置を決定する方法であって、
前記複数の移動スイッチングセンタの１つから、前記セルラーシステム内における前記移動ステーションの配置を定めるネットワーク識別データを受信し、
無線適用範囲の地理的地図を使用して、受信した前記ネットワーク識別データを地理的位置情報に変換する諸ステップを含み、
前記ネットワーク識別データが、ボイスチャンネルと同時に前記移動ステーションが通信を発信しているセル領域にサービスしている前記移動スイッチングセンタから送信されることにより特徴付けられ、
前記ネットワーク識別データを送信する前に、
前記移動スイッチングセンタから、前記移動ステーションに対するネットワーク識別データを含むセルラーチャンネルを送信し、
前記移動スイッチングセンタをアイデンティティコードで喚起して、前記通信下にある移動ステーションに対する前記ネットワーク識別データを要求し、
移動スイッチングセンタにて、アイデンティティコードを使用して要求されるネットワーク識別データを応答的に検索する諸ステップを実行し、
前記諸ステップが、前記移動ステーションからのトリガ命令に応答して実行されることを特徴とする方法。
【請求項２】
前記ネットワーク識別データが、前記移動ステーションにサービスする通信トランク群を識別するデータ、メンバ番号、並びにセル及び／又はセクタＩＤを含むことを特徴とする、請求項１に記載の方法。
【請求項３】
ベースステーションと通信下にある複数の移動ステーションを各々含む複数のセル領域を備え、かつ各々特定のセル領域のベースステーションと通信下にある複数の相互接続移動スイッチングセンタを備え、各移動スイッチングセンタが、前記の特定のセル領域においてサービスを受けつつある各移動ステーションに対するネットワーク識別データを維持するセルラーシステムにおいて、移動ステーションの位置を決定する装置であって、
前記複数の移動スイッチングセンタの１つから、前記セルラーシステム内における前記移動ステーションの配置を定めるネットワーク識別データを受信するための手段、及び
無線適用範囲の地理的地図を使用して、受信した前記ネットワーク識別データを地理的位置情報に変換するための手段を含み、
前記ネットワーク識別データが、ボイスチャンネルと同時に前記移動ステーションが通信を発信しているセル領域にサービスしている前記移動スイッチングセンタから送信されることにより特徴付けられ、
前記ネットワーク識別データを送信する前に、
前記移動スイッチングセンタから、前記移動ステーションに対するネットワーク識別データを含むセルラーチャンネルを送信し、
前記移動スイッチングセンタをアイデンティティコードで喚起して、前記通信下にある移動ステーションに対する前記ネットワーク識別データを要求し、
移動スイッチングセンタにて、アイデンティティコードを使用して要求されるネットワーク識別データを応答的に検索する諸ステップを実行し、
前記諸ステップが、前記移動ステーションからのトリガ命令に応答して実行されることを特徴とする装置。
【請求項４】
前記ネットワーク識別データが、前記移動ステーションにサービスする通信トランク群を識別するデータ、メンバ番号、並びにセル及び／又はセクタＩＤを含むことを特徴とする、請求項３に記載の装置。
【発明の詳細な説明】
［発明の属する技術分野］
本発明はセルラー通信システムに関し、特定すると移動ステーションの位置を決定するためのセルラー構成に関する。
［従来技術］
セルラー電話ネットワークや移動無線データネットワークにより提供される端末の移動可能性の増大は、位置ベース（基準）のサービスおよび技術の需要の増大をもたらした。車両群の操作者は、彼らの発車作業の効率を向上させるため、自動化された車両追跡技術に関心がある。さらに、盗難車両回収システムは、過去数年にわたり相当の成功を享受した。しかしながら、今日までの努力は位置情報を収集するため移動操作者領域において採用される特殊化装置を中心に費やされた。例えば、Darnell等の米国特許第5,043,736号はセルラー位置決定システムを開示しているが、このシステムにあっては、遠隔ユニットの位置が、広帯域位置決めシステムにより遠隔ユニットにある特殊装備受信機に伝送されるデータから誘導される。
［発明の開示］
したがって、本発明は、ベースステーションと通信下にある複数の移動ステーションを各々含む複数のセル領域を備え、かつ各々特定のセル領域のベースステーションと通信下にある複数の相互接続移動スイッチングセンタを備え、各移動スイッチングセンタが、前記の特定のセル領域においてサービスを受けつつある各移動ステーションに対するネットワーク識別データを維持するセルラーシステムにおいて、あるセル領域内で通信を発信している移動ステーションの位置を決定する方法であって、前記セル領域にサービスしている移動スイッチングセンタから前記移動ステーションに対するネットワーク識別データを収集し、この収集されたネットワーク識別データを地理学的位置決め情報に変換する諸ステップを含む移動ステーション位置決定方法を提供する。
本発明は、他の側面として、ベースステーションと通信下にある複数の移動ステーションを各々含む複数のセル領域を備え、かつ各々特定のセル領域のベースステーションと通信下にある複数の相互接続移動スイッチングセンタを備え、各移動スイッチングセンタが、前記の特定のセル領域においてサービスを受けつつある各移動ステーションに対するネットワーク識別データを維持するセルラーシステムにおいて、あるセル領域内で通信を発信している移動ステーションの位置を決定する方法であって、移動スイッチングセンタから、前記移動ステーションに対するネットワーク識別データを含むセルラーチャンネルを伝送し、伝送されたネットワーク識別データを受信し、受信されたネットワーク識別データを地理的位置情報に変換する諸ステップを含む移動ステーション位置決定方法を提供する。
【図面の簡単な説明】
図１は本発明の１具体例である通信シーケンスを描いたフローチャートである。
図２は本発明の他の具体例である通信シーケンスを描いたフローチャートである。
図３は本発明を採用する移動体システム構成のブロック図である。
図４は図３の移動体システム構成の詳細ブロック図である。
［本発明を実施するための最良のモード］
あるセルラー業務の実施においては、移動ステーションの位置がサービス提供者に知得可能であることが必要とされる。例えば、911型緊急業務においては、医療職員は、迅速な医療的処置が単一または複数キャリヤセルラーネットワークの全適用範囲において利用可能となるように、困窮源についての確実で正確な読取りを必要とする。上述のDarnell等の特許に開示される位置発見システムは、GPSシステムとインターフェースするように特に構成された変更された移動ステーションから極めて正確な位置情報を搬送するが、加入者面からのより望ましいシステムは、既存の移動ステーション構成をそのまま維持することであろう。
本発明は、既存のセルラーネットワークトポロジーの能力性能を向上させ、ネットワークからのセルラーパラメータを利用して移動ステーション位置の収得を可能にすることである。セルラーパラメータは、各移動ステーションのそのセルラーネットワーク内における配置と、それと他の移動ステーションとの関係を定める。例えば、パラメータは、移動ステーションにサービスする通信トランク群を識別するデータ、メンバ番号、およびセルおよび／またはセクタIDを含んでよい。セルラーデータの地理的プロファイルへの正確な変換は、変換機構として無線図（ラジオプラン）を使用することによって遂行できる。無線適用範囲の地理的地図に対応するラジオプランは、セクタ化セルに対するセルベースステーションアンテナ位置、高さ、半径および角度から誘導される緯度および経度のような情報を供給する。
論述および明瞭にするため、「移動ステーションロケータ」（MSLまたはロケータ）なる用語は、以後、セルラーネットワークとやり取りしそのネットワークからの位置決定セルラーデータ受入れ体である設備、機構またはアセンブリで、どのような型で実施され、構成され、動作し得るものも包含するのに使用される。MSLそれ自体は、入力セルラーデータに応答して、対応する地理的位置推測値を生成するための情報資源を維持する。資源は、例えばセルラーデータが地理的情報に変換可能である場合、無線適用範囲地図からの位置データを累積することによって構成される。
セルラーネットワークの基本的構成は、セル領域を画定し、かつセル領域適用範囲領域内の移動ステーションユニットにワイヤレス通信を提供する複数のベースステーションを含む。セルラーネットワークはさらに、移動ステーション間の接続およびPSTNのような外部ネットワークへのインターフェーシングを可能にする処理およびスイッチング機能を遂行するため、ベースステーションおよび他のスイッチングセンタと通信下にある複数の移動スイッチングセンタを備える。
図１のフローチャートに詳記される本発明の１具体例において、移動ステーションのアイデンティティを表わすコードが、移動スイッチングセンタ（MSCまたは「センタ」）から移動ステーションロケータに伝送される。詳述すると、アイデンティティコードは、移動体識別番号（MIN）および／または電子的シリアル番号（ESN）に対応する。ロケータはついで、センタにMINに関して問合せし、指定されたMINを有する移動ステーションについてのネットワークデータを要求する。この問合せに応答して、センタは、トランク群およびメンバ番号のような要求された情報を検索し、ついでそれをロケータに送る。ロケータにおける変換動作は、セルラーネットワークデータを対応する地理的位置情報に変換する。
図２のフローチャートシーケンスに詳記される本発明の他の具体例においては、セルラーネットワークデータは、センタからのMINとともにロケータに伝送される。したがって、この具体例においては、ロケータはセルラーデータについてセンタを喚起しない。好ましい実施においては、センタは、特徴コードとして知られる特定のダイアルされた移動体ディジットにより代表される移動ステーションからのトリガ命令に応答して、その移動ステーションに関するセルラーデータの伝送を起こす。
図３は、本発明を実施するためのセルラー構成を例示するシステムレベルブロック図である。位置発見能力を調べる目的で、移動ステーションからの呼と移動ステーションロケータ（MSL）３２からの位置情報を監視するためにアシスタンスセンタ３１を包含させた。詳述すると、ＡＣ３１は、移動スイッチングセンタ（MSC）３３に接続されたセルラーリンクを介してボイスチャンネルを受信しかつロケータ３２から地理的位置データを受け取るエンティティである。アシスタンスセンタ３１は、使用者呼および位置データを受信しその情報に基づいてサービスを提供する、ディスパッチおよび／または記憶能力を有する処理センタを含む。詳しく述べると、アシスタンスセンタ３１は、受呼者（すなわち操作者またはディスパッチャ）がセルラー電話発呼者と話し、地理的ディスプレイ上に発呼者位置を表示する能力を提供する装置を備える。
移動スイッチングセンタ３３は、セルラー電話を他の電話（セルラーまたはワイヤライン）と通信させる処理およびスイッチング機能を提供するセルラー電話ネットワークスイッチである。移動ステーションロケータ３２は、移動ステーションに関する位置情報の検索および記憶を遂行する設備である。詳しく言うと、ロケータ３２は、位置情報を受信し、検索し、記憶しそして処理し、ついでそれをアシスタンスセンタ３１に供給する。ロケータ３２は、移動スイッチングセンタ３３からの位置情報の検索を遂行するMSL-MSCインターフェース（MMI）を装備している。
セル領域とも呼ばれるベースステーションが、センタ３３と接続されており、セルラー電話との無線通信を可能にする。ベースステーションは、全方向またはセクタ化アンテナを具備する。全方向セルは、セルセンタから全方向に放射する無線の適用範囲を提供する。この形式のセルは、地図上において円により近似できる。セクタ化セルは、円の一部に対する適用範囲を提供するアンテナを有する。この形式のセルは地図上においてパイウェッジ形状により近似できる。
図３に示されるセルラー構成を、位置アシスタンスおよび追跡情報サービス（LATIS）の現場実験デモンストレーション中、呼を発する移動ステーション（例えばセルラー電話）の位置をセルラーネットワーク内外のエンティティに入手可能とする方法を探索するように働かせた。ロケータ３２は、主としてセルラーネットワークからの位置データを収集し、それを変換し、それをアシスタンスセンタ（ＡＣ）３１に供給する機能を果たす。位置データは、地理的座標と、サービスを与えるセルラーネットワークセル領域（例えばベースステーション）のサイズより成る。この位置データの解像度は、セル領域のサイズにより制限されたが、複数セル領域からのデータの解像度は、セルサブセット／セクションのようなセクタ情報により向上された。
LATIS実験では、操作者をしてセルラーネットワークに対する呼を開始させることによって移動ステーション位置を決定するための収集モードを起こさせた。詳述すると、移動ステーション操作者は、標準電話上において認識可能な特徴コード（FC）をダイアルした。センタ３３は、特徴コードを確認し、呼をＡＣ３１に接続し、回答者と発呼者との間にボイス接続を設定した。
ロケータ３２による位置情報収集および続いてのＡＣ３１への供給は、以下において方法ＩおよびIIとして指示される第１および第２移送方式によりLATIS実験中に遂行される。方法Ｉにおいては、センタ３３は、発呼者アイデンティティを、ネットワーク接続を介してＡＣ３１に伝送する。発呼者アイデンティティは、呼を発するステーションの電話番号に対応する移動体識別番号（MIN）により定義される。実験の目的のため、MINは長さが１０ディジット（桁）であった。
ＡＣ３１は、MINに関係するセルラーデータを要求するために発呼者MINを含むメッセージにロケータ３２に送ることにより応答する。ついで、ロケータ３２は、センタ３３とやり取りして、その特定の移動ステーションにより現在使用下にあるセル領域トランクを検索する。ロケータ３２は、センタ３３から受信されるトランク情報を、地理的座標（緯度および経度）、解像パラメータ（半径）およびあり得る２つの角度値（セクタ化セルの場合）を含む位置「値」に変換する。この情報は、ついでフォーマット化され、地理的表示のためＡＣ３１に伝送される。セルラー電話に現在サービスを与えているベースステーションの形式に依存して、位置値は、例えば地理的座標および解像度により記述される円またはこの情報を運びそして二つの角度値で補足されたパイウェッジでのように、異なる方法でＡＣ３１により表示され得る。方法IIにおいては、センタ３３は、発呼者アイデンティティ（例えばMIN）をセルラーネットワークデータと多重化し、組み合わされた信号をＡＣ３１に伝送する。例えば、センタ３３は、MIN＋サービスを与えるセル／セクタ）を表わす５ディジットコードをパルス送出する。ＡＣ３１は、このコードを受信し、それをロケータ３２に送り、このロケータがそれを地理的位置値に変換し、この値が地理的表示のためにＡＣ３１に伝送される。下記の表は、実験中使用された移送方法の特徴を集約したものである。
0004020427.tif 000002
LATIS現場実験は、セルラーネットワークデータをロケータ３２に通信するための特定のルートを含んだが、これらのルートは単なる例示として指示されたものであり、本発明の限定としての役割を果たすものではない。むしろ、セルラーネットワークデータは、ロケータ３２に直接伝送されても、任意の形式の通信リンクを介して間接的に伝送されてもよい。さらに、ネットワークデータは、前に伝送されてもボイスチャンネルと同時的に伝送されてもよい。例えば、ボイスチャンネルは、１チャンネルを介してＡＣ３１または他のエンティティに送られ、他方ネットワークデータは、ロケータ３２への代替経路を介して独立的にルート設定されてもよい。加えて、MINおよび／またはネットワークデータは（応用に依存して）、センタ３３から伝送前にボイスチャンネルと多重化されてもよい。
同様に、方法Ｉにおいてロケータ３２がアシスタンスセンタ３１によりMINで喚起されてさえ、また方法IIにおいてセル／セクタ位置情報が変換のためにロケータ３２に結合される前にＡＣ３１に最初に伝送されてさえ、ＡＣ３１のこの監視／座標化の役割は、本発明の限定としての役割を果たすものではない。むしろ、方法Ｉに対するMINおよび方法IIに対するセルラーネットワークデータはセンタ３３からロケータ３２に直接伝送でき、他方ボイス通信はセンタ３３によりＡＣ３１または任意の他の終端使用者に別個に伝送されるであろうことも、当技術に精通したものは明らかなはずである。
図４は、図３のセルラー構成の他のブロック図である。図４と関連して述べられる特定の要素、サブシステムおよび他のエンティティは、本発明の限定と見られるべきものでなく、セルラー構成の一つの実施を代表するとみなされるべきものである。当技術に精通したものであれば、図４に示される機能は他の等価な手段によって実施できることが明らかなはずである。
移動ステーションは、なんらの非標準的変形を必要としないモトローラ移動可能なセルラー電話のような標準セルラー電話を採用した。実験中電話が「ホーム」システム上にあるように、電話はサービスを与えるGTE MobilnetセルラーシステムからのMIN（電話番号）でイニシャライズされた。
移動スイッチングセンタ３３は、一つのエグゼグティブセルラープロセッサ（ECP)４１および数台のディジタルセルラースイッチ（DCS）４２を含むAT&T Autoplex System 1000であった。各DCS ４２は、数個のベースステーション（セル領域）に接続される。センタ３３になされた唯一のハードウェアの変更は、試験呼を関連するアシスタンスセンタスイッチ４３に搬送するための専用T-1スパン（トランク群）の接続であった。DCS ４２およびACS ４３間のリンクは、図４においてインターフェースＡとして指示されている。
ECP ４１は、必要なディジット変換、呼ルート設定およびトランク信号送出を提供するように変更された。下記の記述は、ECP ４１の特定の形式になされた変更を列挙したものである。
（1）加入者および特徴情報フォームは、プライマリーダイアリングクラス番号２２を加えるように変更された。各試験電話のMINは、ダイアリングクラス２２番号の一部であった。このクラスは、試験電話のダイアリング能力を制限し存在するトラフィックとの干渉を防ぐように、試験のために創設された。
（2）ダイアリングプランフォーム（DPLAN）に対してパターンマッチングが加えられた。これらの変更は、使用された特徴コードを特定する。もしも移動ステーションから受信されるダイヤルされたディジットが*57（方法Ｉ）または211（方法II）に整合すると、DXDRTEルートに対する911の目標インデックスおよび13の被ダイアル番号変更（DNMOD）が割り当てられた。もしもディジットが*58+12またはそれより多いディジット（緯度／経度であろう）に整合すると、911デスティネーションインデックスおよび14のDNMODが割り当てられた。
（3）１３の被ダイヤル番号変更（DNMOD）でセルおよびセクタを整合を遂行した。もしもテーブル内のセル／セクタの一つから呼が発せられると、対応する一組のディジットがダイアルされたディジット（*57または211）に加えられ、そして全セットがディジット−バイ−ディジットコールルーティング（DXDRTE）にルート設定された。
（4）１４の被ダイアル番号変更（DNMOD）は、緯度および経度変換を遂行した。*58が到来ディジットから抹消され、残りの緯度／経度ディジットがディジット−バイ−ディジットコールルーティング（DXDTRE）にルート設定された。
（5）ディジット−バイ−ディジットコールルーティング（DXDTRE）は、出トランク群が割り当てられ、ディジットをパルス送出した。特徴群Ｄ信号送出法を使用した。発呼者MINはANI（自動番号識別）フィールドでパルス送出され、DNMODにより送られるディジットは、被呼アドレスフィールドでパルス送出された。
上述のように、図３におけるアシスタンスセンタ３１は、ボイスチャンネルのような通信リンクを介するセルラーネットワークを介して移動ステーションと通信しかつ移動ステーション発呼者の地理的位置情報を受信、表示するための手段を装備する。アシスタンスセンタ３１は、以下に述べるように、図４においてはアシスタンスセンタスイッチ（ACS）４３およびアシスタンスセンタディスパッチステーション４６として表示されている。ACS ４３は、到来呼に関するアイデンティティおよび位置情報を受信して認識しかつこれらの呼を必要に応じて操作者にルート設定することができる電話スイッチング装置を含む。
ACS ４３は、２枚のT1カード（１枚は実験中使用され他の１枚は試験のために使用される）で構成されたSumma Four SDS-500スイッチ４４を含むように構成される。ACS ４３はさらに、ダイアルトーンジェネレータ、帯域内信号送出データ捕捉のためのMF（多周波）カード、およびもし所望される場合取り付けられた電話セットを制御するSLICカードを含んでよい。センタ３３からの専用T1スパン（インターフェースＡ）はT1カードの一つに結合され、センタ３３からの呼がこのカードのポートに入った。SDSスイッチ４４は、SDS制御ソフトウェアをランさせているSDSホスト４５により制御された。スイッチ４４は、スイッチ関係情報およびアクティビティをレポートによりホスト４５に通信し、ホスト４５はスイッチ４４を制御する命令を発行し、そしてスイッチ４４は応答で命令に応答した。SDSホストマシン４５は、HP-9000シリーズワークステーションであった。
スイッチ４４に対する制御ソフトウェアは、Ｃプログラミング言語で書かれており、メッセージ受信、メッセージ送出、信号捕捉、番号分析およびMSL入力準備の諸機能を実行するための５つの主モジュール（下に論述）を含んだ。
［メッセージ受信モジュール］
このモジュールはSDSスイッチ４４からのメッセージを受信した。このモジュールは、種々の形式の応用を支持するように設計された。メッセージ内のデスティネーションコードおよび機能IDに基づいて、メッセージはアプリケーションモジュールに送られた。実験のため、唯一のモジュール、すなわち信号捕捉モジュールのみが使用された。
［メッセージ送出モジュール］
このモジュールは、ホストモジュールからメッセージを受け取り、スイッチに伝送のためそれらを待ち行列に入れた。モジュールは、ソケットフル／出力ペンディングおよび通信エラーを含む、数種の状態応答を発呼モジュールに戻した。
［信号捕捉モジュール］
このモジュールは、T1およびテル（電話）セット資源の変化に反応した。これらの変化は、インパルスルール完了レポート、到来ポート変化レポート、出ポート変化レポート、または出ポート制御命令に対する応答によってホストに送られた。レポートに基づき、命令が作られ、メッセージ送出モジュールを介してスイッチに送られた。命令は、資源仮装通信アドレスを含み、SDSアプリケーションプログラムインターフェース（API）に関して形式化された。
インパルスルール完了レポートは、入呼から（T1スパン上の）信号送出情報が完了したことを指示した。受診された信号データは、ついで分析または後続の動作のため番号分析モジュールに送られた。
［番号分析モジュール］
このモジュールは、信号捕捉モジュールにより受信されるディジットを分析し、それが位置データのどの一組を含むかを決定した（例えば緯度または経度、セルおよびセクタ、またはなし）。位置データは、ついでMSL入力準備モジュールにセットされ送出される位置情報に再フォーマット化された。
［MSL入力準備モジュール］
このモジュールは、所与の位置情報セットからMSLに対する位置レコードを作成した。１位置セット内にエラーが検出されると、適当なエラーメッセージがログファイルに書き込まれた。そうでな場合には、データレコードは、メッセージ送出モジュールを介してロケータ３２に直接通された。
さらに、このモジュールは、出ポート制御命令をスイッチに送り、ACDSテルセット（以下に述べる）に対する出パルスルール（リンギング等）を遂行する。６つのテルセットが使用されたから、第１のテルセットが話中の場合、第２のものが鳴った。もしも両者が話中の場合、呼は待ち行列に入り（発呼者はリングバックを聴く）、そして第１の利用可能なテルセットが呼を受けた。
上述のように、アシスタンスセンタはまた、操作者が発呼者と話し発呼者位置を処理することを可能にする電話ディスパッチ装置４７を収容するアシスタンスセンタディスパッチステーション（ACDS）４６を備えてよい。この電話装置は、SLICを介してSDSスイッチ４４にインターフェースされるであろう。
ACDSは、６つの標準電話機４７と、一つのHPシリーズワークステーション４８を含んだ。ACS ４３に接続される電話機４７は、操作者が発呼者／試験者と通信することを可能にした。二つのソフトウェアアプリケーションがワークステーション上でランされた。すなわち、発呼者位置を電子的に描く地理的情報システム（GIS）と、グラフィック使用者インターフェース（GUI）で、これは操作者が試験シナリオデータを迅速に集めることを可能にした。
地理的情報システムは、地理的データを表示するＸウィンドウアプリケーションである。加えて、GISは、２または３以上の点間の最短ルート／パスを決定するための強力アルゴリズムを含む。下記の特徴が、実験において使用のために特に追加された。
★  カーアイコンをもって到来位置データを表示するために一つの特徴が追加された。これは、緯度および経度データが存在する場合「正確な位置」と対応する。
★  円をもって到来位置データを表示するために一つの特徴が追加された。これは、全方向ベースステーションからの位置と対応する。
★  パイウェッジ（円の一部）のような到来位置データを表示するために一つの特徴が追加された。これは、セクタ化ベースステーションからの位置に対応する。
★  呼に関係する情報を検索し、消去するための能力が追加された。任意のアイコンが照明される間、操作者はそのアイコンをクリックし、その呼に関する特定情報、すなわち、MIN、緯度または経度（もし適用できるならば）、およびセル／セクタ値（もし適用できるならば）を検索できよう。操作者はまた、エントリを消去してよく、そしてこの点でアイコンは除去されよう。
GUIは、必要な情報を集めるため操作者を補助する。GUIは、X Windows/Motif製品ファミリを使って作られ、１２のフィールドをもつメニューバーを有し、操作者は試験情報でこれを満たすことができる。フィールドは下に詳記する。
（a）Dialing MIN：試験者MIN
（b）Date：日付けおよび時間はワークステーションオペレーティングシステムから得た。
（c）Dial Type：ダイアリング形式（方法ＩまたはII）をリストする。
（d）Cell：試験セルの名前および番号をリストする。
（e）Cell_id：使用されるセルの番号
（f）Sector：そのセルにおける試験者により使用されるセクタ。
（g）Caller：発呼者の名前。
（h）Call_taker：操作者の名前。
（i）Weather：４つの状態をリストする。晴れ、一部曇り、雨、霧。
（j）Location：３２の予割当て試験位置をリストする。
（k）Result：パスまたは失敗は各test_indexに与えた。
（l）Duration：３種の呼継続時間をリストした。10秒より小、１分より小、１分より大。
位置情報に対するサーバーとして機能するように、コメントフィールドも提供された。移動ステーションロケータ３２は、HP-9000シリーズワークステーションで実施した。
ロケータ３２は、Ｃで書かれたソフトウェアを含みかつ６つのモジュール、主制御、リクエスト、クエリ（問合せ）−ワン、クエリ−オール、データベース−検索、GIS−インターフェースを包含するMSL HOST・サーバユニット４９を備えた。MSLサーバ４９は、複数の同時呼を処理するように設計され、下記のように動作した。主制御モジュールは、（インターフェースＢを介して）ASC ４３からの到来リクエストを待った。各到来呼に対して、もしも位置データが存在すれば、MSLサーバ４９はそれを変換し（もし必要ならば）、データメッセージをフォーマット化し、それをACDS４６に送った。もしも到来呼が位置データを含まないならば、MSLサーバ４９は、移動スイッチングセンタからの情報が含まれているか否かをチェックし、またもしもセンタが分かっていれば、ロケータ３２は、クエリ−ワンモジュールを使用してその特定のセンタとやり取りした。もしもセンタが分かっていなければ、ロケータ３２は、クエリ−オールモジュールを使ってすべての接続された移動スイッチングセンタとやり取りする能力を有した。両形式のクエリモジュールは、以下に論述するようにMSL-MSC ５０を使用するように設計された。
移動ステーションロケータ３２の性能を確認するため、主制御モジュールは、ログファイルに下記の事象を時間スタンプとともに記録した。
★  到来移動ステーション呼メッセージを受信。
★  MSCクエリプロセスにより問合せをMSCインターフェースプロセスに送付。
★  問合せ応答をMSCインターフェースプロセスから受信。
★  移動ステーション位置レコードをACDSに送付。
［MSL-MSCインターフェース］
MSL-MSCインターフェース（MMI）モジュール５０の目的は、MSC特定の処理を遂行して、位置情報を検索することである。MMI50は、TCL（Tool Command Langu age）を使用してExpect scriptとして書かれた。MMI ５０ログインルーチンは、ワークステーションシリアルポートを介してAutoplex ECP ４１ Recent Changeポートとの接続を設定した。実験中、この接続は、モデムをダイアリングし、ECP ４１へのロギングを含んだが、これはすべてMMI ５０により自動的に処理された。一度接続が設定されると、MMI ５０主プログラムは、MSLサーバ４９からの問合せ要求に対する入力ファイルを連続的に操作した。
問合せ要求が見出されると、MMI ５０は、OP:DN命令をECP ４１に発する。この命令は、問合せ要求メッセージ内にロケータ３２から受信されるMINを含む。通常の動作環境において、ECP ４１は、MCR（移動体予備レジスタ）値を戻す。MMI ５０は、ついでMCR値をもつOP:MCR命令を発する。同様な動作環境下において、ECP ４１は、他のデータモデルもあるが、現在移動ステーションにサービスを与えつつあるトランクと対応するセル領域トランク情報を戻す。MMI ５０は、この情報（トランク群およびメンバ番号）を出力ファイルに書き込むことによって、これをMSLサーバに戻した。何らかのエラーに遭遇すると、MMI50は、適当なエラーメッセージを出力ファイルに書き込む。
［MSLデータメッセージフォーマットおよび変換］
ロケータ３２は、位置データを受信し、変換を遂行して、均一な出力メッセージフォーマットをアプリケーション（API）に提供する。出力メッセージフォーマットの例は下記のごとくである。
セルおよびセクタ        ４記号
経度                    ８記号
緯度                    ８記号
高度                    ５記号
半径                    ５記号
スターティング角度      ５記号
実適用範囲角度          ５記号
メッセージ／コメント１２５記号
各フィールドの境界を画定するためにスペースを使用した。
MSLホスト４９は、特定された移動ステーションに対するセルラーネットワーク識別データを地理的位置情報に適正に変換するために特定の変換動作を実行した。例えば、移送方法Ｉは、MSL-MSCインターフェース５０からのトランク群およびメンバ番号データをMSLホスト４９に提供する。このデータは、第１の変換動作においてセルIDおよびセクタID情報に変換される。移送方法IIに対する主動作として、または移送方法Ｉに対する二次的動作として採用される第２の変換動作において、セル／セクタＩＤを含む入力データは緯度および経度、解像度（半径）、角度１および角度２に変換される。
変換動作は、好ましくは、ロケータ３２において先に生成され記憶されたインデックス可能なテーブルを使用して遂行されるのがよい。第１変換動作に対するデータは、例えば、（セルIDおよび／またはセクタIDにより分類される）各セル領域により使用されるトランク群およびメンバ番号のリストから得られた。第２変換動作に対するデータは、実験のために選ばれたセルに対するラジオプラン（無線適用範囲の地理的マップ）から集められ、表状のフォーマットに組織化された。各セルの緯度および経度は、インデックスとしてベースステーションアンテナを使用してこれらのラジオプランから直接得られた。セクタ化セルに対する角度も、ラジオプランおよびその他のテーブルから抽出された。各セル／セクタの解像度は、少なくとも-75dBラジオ信号範囲を提供する中心から最遠点までの距離としてラジオプランから決定された。好ましくは、-75dBの数字が、ハンドオフのためのスレッショルドとして適当と認められるに必要な信号強さの基準として使用された。
下記は、図４に示されるユニット間のインターフェースを記述するものである。
（1）MSC-ASCインターフェース（リンク「Ａ」）
これは、特徴群Ｄ（FG-D）信号送出をもつT1スパンである。MSC ３３は、ANI（移動体のMIN）と、そして位置−移送方法に依存して、発呼者の位置に関する情報を含むダイヤルディジット列をパルス送出した。
（2）ACS-MSLインターフェース（リンク「Ｂ」）
これは、SDSホスト４５とMSLサーバ４９プロセス間のファイル−移送インターフェースである。すべての移動体発信呼に対して、移動体MINおよび最適位置情報を含むリクエストメッセージはSDSホスト４５によりファイルに書き込まれた。MSLサーバ４９は、ファイルからデータを読んだ。SDSホスト４５およびMSLプロセスは、イーサネットを介して接続される別個のマシン上で実行された。
（3）MSL-MSCインターフェース（リンク「Ｃ」）
これは、MSLインターフェースユニット５０とMSCのRecent Changeポート間のシリアル接続である。ロケータ３２はセンタ３３から遠隔に位置するから、ダイアル呼出し電話線上にモデムが使用される。MSLのMMI ５０はMSC ３３とやり取りし、移送方法Ｉが動作しているとき所与のMINに対するサービス中のトランク群およびメンバ番号データを検索する。
（4）MSL-ACDSインターフェース（リンク［Ｄ」）
これは、MSLサーバ４９とACDS４６アプリケーションプロセス間のファイル転送インターフェースである。MSLは、地理的位置情報を含むその出力メッセージをファイルに書き込み、これがACDSアプリケーション（GIS）により読み取られる。MSLおよびACDSプロセスは別個のマシン上で実行されるから、ファイル読取り−書込みメッセージを移送するのにイーサネット接続が使用された。
上述の位置発見方式に対する代替案として、GPS衛星のような外部位置決めシステムにインターフェースされた改良型の移動ユニットを使用して、移動ステーション領域にて地理的位置データを得ることができよう。このサービスに対する位置データは、改良型移動ステーションによりアップロードされた緯度および経度より成った。このデータの解像度は、移動ステーションにて使用される位置決め装置の能力に依存した。
このサービス（移送方法IIIと記される）のため、「改良型」セルラー電話は、移動ユニットの現在位置を決定し得る取り付けられた位置決めデバイスを採用した。移動体操作者の命令にて、改良型電話は、位置決めデバイスからの現在位置情報を読み、自動的に呼を発した。ダイヤルされたディジットは、特徴コードプラス緯度および経度位置情報を含んだ。移動スイッチングセンタは、この特徴コードを認識し、呼をアシスタンスセンタに接続した。詳述すると、スイッチングセンタは、セルラー電話によりダイヤルされたディジットに含まれた、MINプラス緯度「lat」および経度「lon」をパルス送出した。「lat」は８ディジットを必要とし、「lon」は７ディジットを必要とした。スイッチングセンタはこの情報をステーションロケータに転送し、ステーションロケータはそれを再フォーマット化し、グラフ表示のためアシスタンスセンタに送った。移送方法IIIは、下記の表に集約してある。
0004020427.tif 000003
移送方法IIIの実施は、上述の移動体システム構成に対してある変更を必要とした。以下の論述は、GPSベースの実施に対してなされた改良を記載した。
［セルラー電話の改良］
５台のGTE CCP-2000セルラークレジットカード電話（CCP）を、移送方法IIIを実施するために上述のLATTIS実験において使用するために変更した。変更は、下記のようなソフトウェアおよびハードウェアの修正を含んだ。
ハードウェアの変更は下記のものを含んだ。
★  CCPの側部上のRJ11データジャックを、CCPマイクロプロセッサのシリアルポートに直接接続するように変更した。これにより、CCPはシリアルリンクを介して取り付けられた位置決めデバイスと通信することが可能となった。
CCPのオペレーティングソフトウェアに対して数種の変更をなした。
★  ソフトウェアは、１秒ごとに１度シリアルポートをポールし、接続された位置決めデバイスからの位置データを捜索する。もしもデータが見出され、有効位置情報が含まれていれば、データは有効としてフラグ付けし、バッファに格納した。もしもデータがなければ、あるいは無効位置情報が含まれれば、データは無効としてフラグ付けした。
★  ソフトウェアは、CCPのディスプレイ上に位置状態を表示した。もしも位置データフラグがバッファ内に有効データを指示すると、ディスプレイは、各５秒ごとに交番する緯度および経度情報で更新される。もしもデータが無効としてフラグ付けされれば、「Invalid Loc Data」メッセージが５秒ごとに表示された。
★  「Data」キーの機能は、下記の機能性を提供するように変えられた。もしもデータキーが使用者／試験者により押し下げられると、CCPは自動的に呼を開始する。ダイヤルされたディジットは、３ディジットのプログラマブル特徴コード（FC）、続いて１５ディジットの位置情報（８の経度ディジットとそれに続く７の緯度ディジット）。呼がうまく開始されると、CCPの制御は試験者に戻された。
★  ［Lock］キーは、それが追跡モードに対する切替えとして働くように変更された。もしも、ロックキーが押し下げられているとき追跡モードが現在オフであると、CCPソフトウェアはそのモードをイネーブルする。もしもキーが押し下げられているときにそのモードがオンであると、ソフトウェアは、このモードをターンオフした。追跡モードにある間、CCPソフトウェアは、電話の完全な制御を維持した。試験者はロックキーを押すだけでよく、これによりモードは不能化状態に導かれ、そして制御は試験者に戻った。追跡モードにある間、CCPは、予めプログラムされた間隔で予備を自動的に開始する。呼の開始は、データキーの押下げに対応する呼の開始と同一であったが、呼の継続時間と呼の間の時間は一組のプログラマブルパラメータにより決定された。
★  CCPサービスユーティリティは、データキーに対する特徴コードがプログラムされることを可能にするように変更された。変更はまた、追跡モードに対する特徴コード、呼継続時間および呼間間隔のプログラムを可能にするようになされた。
位置決めデバイスは、Lowrance OEM GPS受信機であったが、任意の地理的位置決めシステムも採用できよう。これらのGPS受信機は、GPS衛星のような位置収集システムからの信号を受信し、信号を処理し、これらの信号に基づいて位置推測値を計算することができた。一つの受信機が、シリアルデータケーブルを介して各CCP-2000型電話に接続された。GPS受信機は、１秒ごとに１度位置情報メッセージを自動的に送った。これらのメッセージは、受信機状態、位置状態および位置情報を含んだ。GPS受信機の解像度は、環境的ファクタに大きく依存し、連続的に変わる。代表的環境において、三つまたはそれ以上の衛星からデータを受信しつつあるGPS受信機は、50ないし100メートルの精度を有する。
以上、本発明を好ましい具体例について説明したが、斯界に精通したものであれば、本発明の技術思想から逸脱することなく種々の変化変更をなし得ることは明らかであろう。
【図１】
0004020427.tif 000004
【図２】
0004020427.tif 000005
【図３】
0004020427.tif 000006
【図４】
0004020427.tif 000007